(57)【要約】【課題】ボトルに強い外力が作用することがあっても胴部の変形を防止できるボトルを提供すること。【解決手段】筒状の胴部４に、その径方向の内側に向けて窪むパネル部６が周方向に間隔をあけて複数形成されたボトル１であって、パネル部６は、該パネル部６における径方向の内側に位置するパネル底壁部１０と、パネル底壁部１０の外周縁から径方向の外側に向けて延びるパネル側壁部１１と、を有し、パネル側壁部１１は、径方向の内側から外側に向かうに従い漸次当該ボトル１の側面視でパネル底壁部１０の外側に向けて延在し、パネル側壁部１１のうち、ボトル軸Ｏ方向の両端部に位置して周方向に延びる端側壁部１１ｂの少なくともいずれかには、端側壁部１１ｂの少なくとも周方向に沿う中央部を含むように配置された突起部１２が形成されていることを特徴とする。【選択図】図１
2014144801.tif 000002
【特許請求の範囲】
【請求項１】
筒状の胴部に、その径方向の内側に向けて窪むパネル部が周方向に間隔をあけて複数形成されたボトルであって、
前記パネル部は、
該パネル部における径方向の内側に位置するパネル底壁部と、
前記パネル底壁部の外周縁から径方向の外側に向けて延びるパネル側壁部と、を有し、
前記パネル側壁部は、径方向の内側から外側に向かうに従い漸次当該ボトルの側面視で前記パネル底壁部の外側に向けて延在し、
前記パネル側壁部のうち、ボトル軸方向の両端部に位置して周方向に延びる端側壁部の少なくともいずれかには、前記端側壁部の少なくとも周方向に沿う中央部を含むように配置された突起部が形成されていることを特徴とするボトル。
【請求項２】
請求項１に記載のボトルであって、
前記突起部における径方向外側に位置する外端と、前記胴部のうち前記パネル部に対してボトル軸方向の外側に隣り合うように配置された部分の外周面との径方向に沿う高低差が、１ｍｍ以下であることを特徴とするボトル。
【請求項３】
請求項１又は２に記載のボトルであって、
ボトル軸方向に沿う縦断面視で、
前記突起部は、前記端側壁部から離間するに従い漸次この端側壁部に沿う長さが短くなる台形状をなしており、
前記突起部を画成する壁面のうち、前記端側壁部から立ち上がり、かつ径方向の外端に位置する外壁面は、ボトル軸と平行に延在していることを特徴とするボトル。
【発明の詳細な説明】
【技術分野】
【０００１】
本発明は、ボトルに関するものである。
【背景技術】
【０００２】
従来から、合成樹脂材料で有底筒状に形成されたボトルとして、例えば下記特許文献１に示されるように、筒状の胴部に、その径方向の内側に向けて窪むパネル部が周方向に間隔をあけて複数形成された構成が知られている。また胴部には、径方向外側へ向けて突出するとともに周方向に沿って延びる環状凸部が形成され、環状凸部は、パネル部に対してボトル軸方向の外側（直上及び直下）に隣り合うように配置されている。
【０００３】
この構成によれば、例えばボトルに密封された内容物の温度が低下する等によりボトル内が減圧した場合に、パネル部が径方向の内側に向けて優先的に変形することで、ボトルのうちパネル部以外の部分での変形を抑えつつ、ボトル内の減圧を吸収できる。尚、特許文献１では、パネル部のパネル底壁部に側面視三角形状の膨出部を設けることで、減圧吸収容量を維持しつつ、該パネル部の剛性も確保するようにしている。
【先行技術文献】
【特許文献】
【０００４】
【特許文献１】特開２００４−３２３１００号公報
【発明の概要】
【発明が解決しようとする課題】
【０００５】
しかしながら、上記従来のボトルでは、例えば内容物の充填時に搬送される際にボトルに作用するラインプレッシャーや流通時等にボトルに加えられる径方向からの強い外力（衝突力）等によって、胴部の環状凸部（つまり胴部のうちパネル部に対してボトル軸方向の外側に隣り合うように配置された部分）に復元不可能な変形が生じるおそれがあり、これを防止することに改善の余地があった。
【０００６】
本発明は、このような事情に鑑みてなされたものであって、ボトルに強い外力が作用することがあっても胴部の変形を防止できるボトルを提供することを目的としている。
【課題を解決するための手段】
【０００７】
前記課題を解決するために、本発明は以下の手段を提案している。
本発明は、筒状の胴部に、その径方向の内側に向けて窪むパネル部が周方向に間隔をあけて複数形成されたボトルであって、前記パネル部は、該パネル部における径方向の内側に位置するパネル底壁部と、前記パネル底壁部の外周縁から径方向の外側に向けて延びるパネル側壁部と、を有し、前記パネル側壁部は、径方向の内側から外側に向かうに従い漸次当該ボトルの側面視で前記パネル底壁部の外側に向けて延在し、前記パネル側壁部のうち、ボトル軸方向の両端部に位置して周方向に延びる端側壁部の少なくともいずれかには、前記端側壁部の少なくとも周方向に沿う中央部を含むように配置された突起部が形成されていることを特徴とする。
【０００８】
このボトルでは、例えばボトルに密封された内容物の温度が低下する等によりボトル内が減圧した場合に、パネル部が径方向の内側に向けて優先的に変形することで、ボトルのうちパネル部以外の部分での変形を抑えつつ、ボトル内の減圧を吸収できる。
本発明のボトルによれば、パネル部におけるパネル側壁部の端側壁部に突起部が形成されていることから、該突起部によって、胴部のうちパネル部に対してボトル軸方向の外側に隣り合うように配置された部分（以下、隣接部位と省略）の剛性を高めることができる。つまり、パネル部のなかでも前記隣接部位に接近配置されたパネル側壁部の端側壁部に突起部が突設されていることで、前記隣接部位の剛性が向上する。従って、例えば内容物の充填時に搬送される際にボトルに作用するラインプレッシャーや流通時等にボトルに加えられる径方向からの強い外力（衝突力）等によって、前記隣接部位が窪まされたり潰されたりすることを防止できる。このとき、前記隣接部位は、前記ボトルにおける最大外径部分となっていることが好ましい。
【０００９】
また、前記隣接部位が外力を受けたときに、該隣接部位に接近配置された突起部によってこの外力を分散できることから、上述した効果を安定して得ることができる。さらに、突起部がパネル部のパネル底壁部ではなくパネル側壁部に形成されていることで、該パネル底壁部の変形量を低下させるようなことが抑制されているので、パネル部の減圧吸収容量を十分に確保できる。
【００１０】
また、突起部が、パネル側壁部における端側壁部の周方向に沿う中央部を含むように配置されていることで、前記隣接部位の変形をより安定的に防止することができる。すなわち、前記端側壁部における周方向に沿う両端部に比べて中央部は大きく変形（変位）しやすい部位であることから、このような中央部に突起部を配置して剛性を高めることにより、端側壁部の変形を抑えやすくなるとともに、前記隣接部位の剛性が安定して高められやすくなる。
以上より、本発明によれば、パネル部によって減圧吸収容量を確保しつつ、ボトルに強い外力が作用することがあっても胴部の変形を防止できるのである。
【００１１】
また、本発明のボトルにおいて、前記突起部における径方向外側に位置する外端と、前記胴部のうち前記パネル部に対してボトル軸方向の外側に隣り合うように配置された部分の外周面との径方向に沿う高低差が、１ｍｍ以下であることとしてもよい。
【００１２】
この場合、上述のように突起部によって前記隣接部位の剛性が高められつつ、ボトルに加えられた径方向からの外力を該突起部によっても直接的に受けとめやすくなり、前記隣接部位の変形を防止する効果がより顕著となる。尚、前記高低差が１ｍｍを超えると、ボトルに外力を及ぼす対象物が突起部に触れにくくなり、上述した効果が得られにくくなる。
【００１３】
また、本発明のボトルにおいて、ボトル軸方向に沿う縦断面視で、前記突起部は、前記端側壁部から離間するに従い漸次この端側壁部に沿う長さが短くなる台形状をなしており、前記突起部を画成する壁面のうち、前記端側壁部から立ち上がり、かつ径方向の外端に位置する外壁面は、ボトル軸と平行に延在していることとしてもよい。
【００１４】
この場合、突起部の外壁面がボトル軸と平行に延在しているので、径方向からの外力を面で受けとめやすくなり、衝撃を効果的に吸収することが可能になり、上述した作用効果が確実に奏功される。
また、突起部が縦断面視で台形状をなしていることで、該突起部の端側壁部からの突出量を確保して上述した効果を確実なものとしつつ、突起部を前記隣接部位より径方向内側に容易に配置しやすくなり、ボトルの取り扱い性や外観を良好に維持しやすい。
【発明の効果】
【００１５】
本発明のボトルによれば、ボトルに強い外力が作用することがあっても胴部の変形を防止できる。
【図面の簡単な説明】
【００１６】
【図１】本発明の一実施形態に係るボトルを示す側面図である。
【図２】図１のＡ−Ａ断面（パネル部の縦断面）を示す図である。
【発明を実施するための形態】
【００１７】
以下、本発明の一実施形態に係るボトル１について、図面を参照して説明する。
本実施形態のボトル１は、ポリエチレンテレフタレート（ＰＥＴ）等の合成樹脂材料により形成されているとともに、図１に示されるように有底筒状をなしており、ボトル軸Ｏ方向に沿って口部２、肩部３、胴部４及び底部５がこの順に一体的に連設されている。
尚、これら口部２、肩部３、胴部４及び底部５は、それぞれの中心軸線が共通軸上に配置されている。本実施形態ではこの共通軸をボトル軸Ｏといい、ボトル軸Ｏ方向に沿う口部２側を上側、底部５側を下側という。また、ボトル軸Ｏに直交する方向を径方向といい、ボトル軸Ｏ回りに周回する方向を周方向という。
【００１８】
本実施形態のボトル１は、射出成形により形成されたプリフォームを２軸延伸ブローしてなるブロー成形品であり、ボトル１内部には例えば調味料や飲料等の内容物が収容される。
【００１９】
図１において、口部２は、円筒状をなしており、ボトル１の該口部２以外の肩部３、胴部４及び底部５より小径とされている。また口部２の開口部は、ボトル１の内容物を注出するための注出口となっている。
口部２には、有頂筒状をなす不図示のキャップが装着されるようになっており、口部２に装着されたキャップが開閉されたり、或いは口部２に対してキャップが着脱されることで、該口部２の注出口が開閉される。
また、肩部３は、略円錐状をなしており、口部２から下側へ向かうに従い漸次拡径して形成されている。
【００２０】
胴部４は、筒状をなしており、本実施形態ではこの胴部４において、肩部３に連なる上側部分がラベル表示領域Ｌとされ、底部５に連なる下側部分がパネル部配置領域Ｐとなっている。また、胴部４におけるラベル表示領域Ｌとパネル部配置領域Ｐとの間には、該胴部４の外周面から径方向内側に窪むとともに周方向に沿って延びる環状の太溝４ａが形成されている。
胴部４のラベル表示領域Ｌには、該胴部４の外周面から径方向内側に窪むとともに周方向に沿って延びる環状の細溝４ｂが、ボトル軸Ｏ方向に間隔をあけて複数形成されている。
【００２１】
胴部４のパネル部配置領域Ｐには、径方向の内側に向けて窪むパネル部６が周方向に間隔をあけて複数形成されており、周方向で隣り合うパネル部６同士の間が柱部７とされている。また、胴部４のパネル部配置領域Ｐのうち、パネル部６に対してボトル軸Ｏ方向の外側に隣り合うように配置された部分（隣接部位）には、径方向外側へ向けて突出するとともに周方向に沿って延びる環状凸部８が形成されている。
【００２２】
すなわち、胴部４のパネル部配置領域Ｐにおいては、ボトル軸Ｏ方向の端部に配置された環状凸部８の外径が最も大きくされ、環状凸部８以外の部位（柱部７及びパネル部６）は該環状凸部８よりも径方向の内側に一段後退させられている。そして、パネル部６は、パネル部配置領域Ｐにおける前記環状凸部８以外の部位における外周面から窪まされている。
【００２３】
また具体的には、環状凸部８は、パネル部６との間にボトル軸Ｏ方向に若干の隙間をあけつつ接近配置されて、該パネル部６の直上及び直下に一対形成されている。すなわち、胴部４のパネル部配置領域Ｐのうち、ボトル軸Ｏ方向に沿う両端部に環状凸部８がそれぞれ配置され、これらの環状凸部８に挟まれた中間部に、パネル部６及び柱部７が配置されている。尚、本実施形態では、胴部４の環状凸部８が、このボトル１の最大外径部とされている。
【００２４】
パネル部６は、該パネル部６における径方向の内側に位置するパネル底壁部１０と、パネル底壁部１０の外周縁から径方向の外側に向けて延びるパネル側壁部１１と、を有している。
【００２５】
図１に示される側面視で、パネル底壁部１０は、ボトル軸Ｏ方向に長い矩形状をなしている。パネル底壁部１０の外周縁部１０ａは、該外周縁部１０ａ以外の部位（図１の側面視で外周縁部１０ａの内側に位置する部位であり、パネル底壁部１０の中央領域）よりも径方向内側に一段窪まされており、溝状をなしている。また、パネル底壁部１０の前記外周縁部１０ａ以外の部位には、径方向内側に窪むとともにボトル軸Ｏ方向に沿って延びる縦溝１０ｂが、互いに平行となるように周方向に間隔をあけて複数形成されている。
【００２６】
図示の例では、これらの縦溝１０ｂのうち、周方向に沿う中央部に位置する一の縦溝１０ｂの溝深さ及び溝幅が、他の縦溝１０ｂの溝深さ及び溝幅よりも大きくされている。また、図２に示されるように、縦溝１０ｂの溝深さは、ボトル軸Ｏ方向に沿う両端部から中央部に向かうに従い漸次深くなっている。
【００２７】
図１に示される側面視で、パネル側壁部１１は矩形枠状をなしており、パネル底壁部１０の周囲を囲んでいる。パネル側壁部１１は、径方向の内側から外側に向かうに従い漸次当該ボトル１の側面視でパネル底壁部１０の外側に向けて延在している。すなわち図１のボトル側面視で、パネル側壁部１１は、パネル底壁部１０から離間するに従い漸次径方向の外側へ向かって傾斜して形成されている。
【００２８】
また、パネル側壁部１１は、該パネル側壁部１１における周方向の両端部に位置してボトル軸Ｏ方向に延びる一対の縦側壁部１１ａと、該パネル側壁部１１におけるボトル軸Ｏ方向の両端部に位置して周方向に延びる一対の横側壁部（端側壁部）１１ｂと、を備えている。縦側壁部１１ａは、パネル底壁部１０における周方向の両端に連なっており、横側壁部１１ｂは、パネル底壁部１０におけるボトル軸Ｏ方向の両端に連なっている。
【００２９】
縦側壁部１１ａの幅（周方向に沿う長さ）は、ボトル軸Ｏ方向に沿う全体に亘って略一定とされている。横側壁部１１ｂの幅（ボトル軸Ｏ方向に沿う長さ）は、該横側壁部１１ｂの周方向に沿う両端部よりも中央部が大きくなっている。具体的に、図１のボトル側面視で、横側壁部１１ｂの周方向に沿う中央部は、両端部よりもパネル底壁部１０側へ向けて膨出するように形成されており、これにより横側壁部１１ｂの前記中央部の幅が大きくされている。
【００３０】
そして、パネル側壁部１１のうち、ボトル軸Ｏ方向の両端部に位置する横側壁部１１ｂの少なくともいずれかには、横側壁部１１ｂの少なくとも周方向に沿う中央部を含むように配置された突起部１２が形成されている。本実施形態においては、一対の横側壁部１１ｂの両方に、突起部１２がそれぞれ突設されており、また突起部１２は、横側壁部１１ｂの周方向に沿う中央部に１つ形成されている。
【００３１】
図２に示されるボトル軸Ｏ方向に沿う縦断面視で、パネル側壁部１１の横側壁部１１ｂは、パネル底壁部１０の外周縁部１０ａからボトル軸Ｏ方向（図２における上下方向）に離間するに従い漸次径方向の外側（図２における右側）へ向かって延びている。そしてこの縦断面視で、突起部１２は、横側壁部１１ｂから離間するに従い漸次この横側壁部１１ｂに沿う長さが短くなる台形状をなしている。また、図２に示される縦断面視で、台形状の突起部１２における一対の底辺のうち、下底に相当する部分は横側壁部１１ｂであり、上底に相当する部分は横側壁部１１ｂに平行な壁面１２ａとなっている。また、台形状の突起部１２において一対の脚に相当する部分は、壁面１２ｂ、１２ｃとなっている。
【００３２】
突起部１２を画成する壁面１２ａ〜１２ｄ（壁面１２ｄについては後述する）のうち、横側壁部１１ｂから立ち上がり、かつ径方向の外端に位置する壁面（外壁面）１２ｂは、ボトル軸Ｏと実質的に平行に延在している。また、突起部１２の壁面１２ｃは、ボトル軸Ｏに対して実質的に垂直に延在している。
【００３３】
また、突起部１２における径方向外側に位置する外端と、環状凸部８の外周面との径方向に沿う高低差Ｄは、１ｍｍ以下となっている。本実施形態では、突起部１２の径方向の外端が壁面１２ｂとされており、該壁面１２ｂと環状凸部８の外周面との径方向の高低差Ｄが１ｍｍ以下に設定されている。
また、図２に示されるように、壁面１２ｂは、パネル部配置領域Ｐにおける前記中間部の外周面（柱部７の外周面に相当）よりも径方向内側に一段後退させられており、これにより壁面１２ｂと環状凸部８の外周面との間には段部９が設けられている。具体的に、段部９によって、環状凸部８とパネル部６との間には隙間が形成されており、また段部９の外周面は、柱部７の外周面に面一（同一周面）とされている。
【００３４】
図１に示される側面視で、突起部１２における周方向の両端部には、一対の壁面１２ｄが設けられている。この側面視で（パネル部６を正面に見て）、壁面１２ｄは三角形状をなしており、突起部１２において径方向の外端に位置する壁面１２ｂから周方向に離間するに従い漸次径方向の内側に向かって傾斜している。
【００３５】
底部５は、略皿板状をなしており、円環筒状のヒール部１３と、円板状の底壁部１４と、を備えている。
ヒール部１３は、胴部４の環状凸部８とともにボトル１の最大外径部とされている。ヒール部１３と、該ヒール部１３の直上に位置する環状凸部８との間には、径方向内側に窪むとともに周方向に沿って延びる環状の細溝５ａが形成されている。
【００３６】
底壁部１４は、その外周縁部に位置する接地部１４ａと、ボトル軸Ｏ上（径方向中央部）に位置して上側へ向けて窪む陥没部１４ｂと、を備えている。
陥没部１４ｂは、有頂筒状をなしており、該陥没部１４ｂにおける下面には、上側へ向けて窪むとともに径方向に沿って延びる溝１４ｃが周方向に間隔をあけて複数形成されている。また、これらの溝１４ｃは、ボトル軸Ｏを中心とした放射状をなすように配置されている。
【００３７】
以上説明した本実施形態のボトル１では、例えばボトル１に密封された内容物の温度が低下する等によりボトル１内が減圧した場合に、パネル部６が径方向の内側に向けて優先的に変形することで、ボトル１のうちパネル部６以外の部分での変形を抑えつつ、ボトル１内の減圧を吸収できる。
そして、本実施形態のボトル１によれば、パネル部６のなかでも環状凸部８に隣り合うように接近配置されたパネル側壁部１１の横側壁部１１ｂに突起部１２が形成されていることから、該突起部１２によって環状凸部８の剛性を高めることができる。従って、例えば内容物の充填時に搬送される際にボトル１に作用するラインプレッシャーや流通時等にボトル１に加えられる径方向からの強い外力（衝突力）等によって、環状凸部８が窪まされたり潰されたりすることを防止できる。
【００３８】
また、環状凸部８が外力を受けたときに、該環状凸部８に接近配置された突起部１２によってこの外力を分散できることから、上述した効果を安定して得ることができる。さらに、突起部１２がパネル部６のパネル底壁部１０ではなくパネル側壁部１１に形成されていることで、該パネル底壁部１０の変形量を低下させるようなことが抑制されているので、パネル部６の減圧吸収容量を十分に確保できる。
【００３９】
また、突起部１２が、パネル側壁部１１における横側壁部１１ｂの周方向に沿う中央部を含むように配置されていることで、環状凸部８の変形をより安定的に防止することができる。すなわち、横側壁部１１ｂにおける周方向に沿う両端部に比べて中央部は大きく変形（変位）しやすい部位であることから、このような中央部に突起部１２を配置して剛性を高めることにより、横側壁部１１ｂの変形を抑えやすくなるとともに、環状凸部８の剛性が安定して高められやすくなる。
以上より、本実施形態によれば、パネル部６によって減圧吸収容量を確保しつつ、ボトル１に強い外力が作用することがあっても胴部４の変形を防止できるのである。
【００４０】
また、突起部１２における径方向外側に位置する外端（本実施形態では壁面１２ｂ）と、環状凸部８の外周面との径方向に沿う高低差Ｄが、１ｍｍ以下であるので、上述のように突起部１２によって環状凸部８の剛性が高められつつ、ボトル１に加えられた径方向からの外力を該突起部１２によっても直接的に受けとめやすくなり、環状凸部８の変形を防止する効果がより顕著となる。尚、前記高低差Ｄが１ｍｍを超えると、ボトル１に外力を及ぼす対象物が突起部１２に触れにくくなり、上述した効果が得られにくくなる。
【００４１】
また、図２に示されるボトル軸Ｏ方向に沿う縦断面視で、突起部１２が、横側壁部１１ｂから離間するに従い漸次この横側壁部１１ｂに沿う長さが短くなる台形状をなしており、突起部１２を画成する壁面１２ａ〜１２ｄのうち、横側壁部１１ｂから立ち上がり、かつ径方向の外端に位置する壁面（外壁面）１２ｂが、ボトル軸Ｏと平行に延在しているので、下記の効果を奏する。
すなわち、突起部１２の外壁面１２ｂがボトル軸Ｏと平行に延在しているので、径方向からの外力を面で受けとめやすくなり、衝撃を効果的に吸収することが可能になり、上述した作用効果が確実に奏功される。
また、突起部１２が縦断面視で台形状をなしていることで、該突起部１２の横側壁部１１ｂからの突出量を確保して上述した効果を確実なものとしつつ、突起部１２を環状凸部８より径方向内側に容易に配置しやすくなり、ボトル１の取り扱い性や外観を良好に維持しやすい。
【００４２】
尚、本発明は前述の実施の形態に限定されるものではなく、本発明の趣旨を逸脱しない範囲において種々の変更を加えることが可能である。
【００４３】
例えば、前述の実施形態では、パネル部６及び柱部７が、周方向に間隔をあけて各６つ設けられているが、パネル部６及び柱部７の数や配置等は、ボトル１に要求される強度や減圧吸収容量等を考慮して適宜設計変更が可能である。
また、前述した実施形態では、肩部３、胴部４及び底部５のボトル軸Ｏに垂直な横断面視形状が円形状とされているが、これに限らず、例えば横断面視で多角形状にする等適宜変更してよい。
【００４４】
また、ボトル１を形成する合成樹脂材料は、前述したポリエチレンテレフタレート以外に、例えばポリエチレンナフタレート、非晶性ポリエステル等、またはこれらのブレンド材料等に適宜変更してよい。
さらに、ボトル１は単層構造体に限らず中間層を有する積層構造体としてもよい。この中間層としては、例えばガスバリア性を有する樹脂材料からなる層、再生材からなる層、若しくは酸素吸収性を有する樹脂材料からなる層等が挙げられる。
【００４５】
また、前述の実施形態では、胴部４において肩部３に連なる上側部分がラベル表示領域Ｌとされ、底部５に連なる下側部分がパネル部配置領域Ｐとなっているとしたが、これに限定されるものではない。すなわち、ラベル表示領域Ｌはパネル部配置領域Ｐと別体に設けられていなくてもよく、この場合、パネル部配置領域Ｐの外周に商品名等を表示するシュリンクフィルムが装着されることにより、該パネル部配置領域Ｐがラベル表示領域Ｌを兼ねることになる。
【００４６】
また、前述の実施形態では、胴部４の環状凸部８が、パネル部６の直上及び直下に一対形成されているとしたが、これに限定されるものではなく、環状凸部８はパネル部６の直上又は直下に１つのみ形成されていてもよい。
また、環状凸部８がボトル１の最大外径部となっているとしたが、これに限定されるものではなく、該環状凸部８以外の部位がボトル１の最大外径部であっても構わない。
【００４７】
また、胴部４のうち、パネル部６に対してボトル軸Ｏ方向の外側に隣り合うように配置された部分（隣接部位）に、環状凸部８が形成されているとしたが、該環状凸部８は形成されていなくてもよい。具体的に、図２において、環状凸部８に対応する部分の外周面が、段部９及び柱部７の外周面と面一（同一周面）になっていてもよい。この場合においても、パネル部６の突起部１２によって、前記隣接部位の剛性を高めることができ、ボトル１に加えられる径方向からの強い外力等によって、前記隣接部位が窪まされたり潰されたりすることを防止でき、前述の実施形態と同様の効果を奏功する。
また、段部９のボトル軸Ｏ方向に沿う長さは、前述の実施形態（例えば図２に示される大きさ）に限定されるものではない。さらに、段部９は設けられていなくてもよい。
【００４８】
また、パネル底壁部１０がボトル軸Ｏ方向に長い矩形状をなしており、該パネル底壁部１０を囲うパネル側壁部１１が矩形枠状をなしているとしたが、これらパネル底壁部１０及びパネル側壁部１１の形状は、前述の実施形態で説明したものに限定されない。すなわち、パネル部６によってボトル１の減圧吸収容量を確保できればよいことから、例えば、パネル底壁部１０が矩形状以外の多角形状をなしており、パネル側壁部１１が矩形枠状以外の多角形枠状とされていてもよい。
【００４９】
また、パネル側壁部１１における一対の横側壁部１１ｂの両方に、突起部１２がそれぞれ形成されているとしたが、これら横側壁部１１ｂのいずれか一方のみに突起部１２が形成されていてもよい。
また突起部１２が、横側壁部１１ｂの周方向に沿う中央部に１つ形成されているとしたが、これに限定されるものではない。すなわち、突起部１２は横側壁部１１ｂの周方向に沿う中央部を含むように形成されていればよいことから、例えば、横側壁部１１ｂに周方向に間隔をあけて複数突設されていてもよい。また、横側壁部１１ｂ全体に周方向に沿って延設されていてもよい。
【００５０】
また、突起部１２の縦断面視形状が、横側壁部１１ｂから離間するに従い漸次この横側壁部１１ｂに沿う長さが短くなる台形状をなしているとしたが、これに限定されるものではない。すなわち、突起部１２の縦断面視形状は、例えば上記台形状以外の多角形状や半円形状等であっても構わない。
【００５１】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５２】
１  ボトル
４  胴部
６  パネル部
８  環状凸部
１０  パネル底壁部
１１  パネル側壁部
１１ｂ  横側壁部（端側壁部）
１２  突起部
１２ｂ  壁面（外壁面）
Ｄ  高低差
Ｏ  ボトル軸
【図１】
2014144801.tif 000003
【図２】
2014144801.tif 000004